(57)【要約】  本発明がマルチメディアメッセージでの３Ｄピクチャーを伝送する方法を開示し、この方法は、ＳＭＩＬファイルに、送信側が異なる２枚のピクチャーを１つのＩＤに対応させ、それに２枚のピクチャーの属性を３Ｄ表示ピクチャーに設定し、この２枚のピクチャーを受信側へ送信する、あるいは、ＳＭＩＬファイルに、送信側が異なる２枚のピクチャーを１つのファイルに合成してから１つのＩＤに対応させ、それにＩＤの属性を３Ｄ表示ピクチャーにマークし、ファイルを受信側へ送信することと、受信側が３Ｄ形式のピクチャーを表示することを含む。本発明がさらにマルチメディアメッセージでの３Ｄピクチャーを伝送するシステムを提供する。本発明の技術的スキームによって、既存プロトコルにおける３Ｄピクチャーの伝送をサポートできない問題を解決する。
2014527373.tif 000002
【特許請求の範囲】
【請求項１】
マルチメディアメッセージでの３Ｄピクチャーを伝送する方法であって、
ＳＭＩＬファイルに、送信側が異なる２枚のピクチャーを１つのＩＤに対応させ、それに２枚のピクチャーの属性を三次元（３Ｄ）表示ピクチャーに設定し、この２枚のピクチャーを受信側へ送信する、あるいは、ＳＭＩＬファイルに、送信側が異なる２枚のピクチャーを１つのファイルに合成してから１つのＩＤに対応させ、それにＩＤの属性を３Ｄ表示ピクチャーにマークし、ファイルを受信側へ送信することと、
受信側が３Ｄ形式のピクチャーを表示することとを含む
ことを特徴とする方法。
【請求項２】
前記送信側が異なる２枚のピクチャーを１つのＩＤに対応させ、それに２枚のピクチャーの属性を３Ｄ表示ピクチャーに設定することは、
送信側が異なる２枚の３Ｄ表示すべきピクチャーの表示エリアＩＤを同一ＩＤに設定し、そしてＳＭＩＬファイルのボディ（ｂｏｄｙ）に２枚のピクチャーの表示パラメータを同じに設定し、送信される１枚目のピクチャーの表示パラメータに準じ、ＳＭＩＬファイルのボディ（ｂｏｄｙ）に、２枚のピクチャーが３Ｄ表示ピクチャーであること及び２枚のピクチャーの放送順番をマークするための属性を加えることである
ことを特徴とする請求項１に記載の方法。
【請求項３】
前記この２枚のピクチャーを受信側へ送信することは、
送信側が前記２枚のピクチャーをＳＭＩＬファイルとパッキングしてからＭＩＭＥでカプセル化を行い、受信側へ送信することである
ことを特徴とする請求項１に記載の方法。
【請求項４】
前記受信側が３Ｄ形式のピクチャーを表示することは、
受信側がマルチメディアメッセージをダウンロードした後、ＳＭＩＬファイルを解析し、異なる２枚のピクチャーの表示エリアのＩＤが同一であることによって、ページ同一表示エリアが同時に２枚のピクチャーに対応することを確定すると、受信した１枚目のピクチャーの表示パラメータを２枚のピクチャーの表示方式として、マルチメディアメッセージを放送する時、表示処理プログラムを呼び出し、２枚のピクチャーを３Ｄ形式のピクチャーに組み合わせて表示を行うことである
ことを特徴とする請求項２または３に記載の方法。
【請求項５】
前記ＳＭＩＬファイルに、送信側が異なる２枚のピクチャーを１つのファイルに合成してから１つのＩＤに対応させ、それにＩＤの属性を３Ｄ表示ピクチャーにマークし、ファイルを受信側へ送信することは、
ＳＭＩＬファイルのヘッダ（ｈｅａｄ）に、送信側が、表示エリアのＩＤ下のファイルが３Ｄ表示ピクチャーであることをマークするためのＩＤ属性を加え、３Ｄ表示すべき２枚のピクチャーを１つのファイルにパッキングし、このファイルをヘッダ（ｈｅａｄ）中の前記表示エリアのＩＤに対応させ、パッキングされたファイルと上記処理されたＳＭＩＬファイルを受信側へ送信することである
ことを特徴とする請求項１に記載の方法。
【請求項６】
前記受信側が３Ｄ形式のピクチャーを表示することは、
受信側がマルチメディアメッセージを受信した後、ＳＭＩＬファイルを解析し、ページのヘッダ（ｈｅａｄ）ピクチャーに表示エリアのＩＤ下のファイルが３Ｄ表示ピクチャーであることをマークするためのＩＤ属性を検出することと、表示エリアのＩＤに対応するファイルを探し出し、ファイル中の２枚のピクチャーを分離して取り出し、３Ｄ形式のピクチャーとして表示することであることを特徴とする請求項５に記載の方法。
【請求項７】
マルチメディアメッセージでの３Ｄピクチャーを伝送するシステムであって、送信側と受信側を含み、ここで、
送信側は、ＳＭＩＬファイルに、異なる２枚のピクチャーを１つのＩＤに対応させ、それに２枚のピクチャーの属性を３Ｄ表示ピクチャーに設定し、この２枚のピクチャーを受信側へ送信する、あるいは、ＳＭＩＬファイルに、異なる２枚のピクチャーを１つのファイルに合成してから１つのＩＤに対応させ、それにＩＤの属性を３Ｄ表示ピクチャーにマークし、ファイルを受信側へ送信することに用いられ、
受信側は、３Ｄ形式のピクチャーを表示することに用いられる
ことを特徴とするシステム。
【発明の詳細な説明】
【技術分野】
【０００１】
本発明はモバイル端末のアプリケーション分野に関し、特にマルチメディアメッセージでの３Ｄピクチャーを伝送する方法及びシステムに関する。
【背景技術】
【０００２】
裸眼３Ｄは現在市場に新たな表示技術であり、何年間の研究を経た後、２０１０年から、裸眼３Ｄ製品が、テレビ、ゲーム、ノートパソコン、ビデオプレーヤー、携帯電話など、様々な分野で迅速に市場に入る。
【０００３】
３Ｄは、三次元とも称され、その基本原理は、人の左目と右目が位置の異なりによって、見るシーンには一定の差別があり、即ち、右目のみと左目のみで近いところの物体を観察すると、人間が明らかな違いを感じる。両眼で見た異なる図像が脳へ伝送された後、脳の処理によって、人間が物体の遠近差別を感じ、即ち視覚の立体感が生じる。既存の３Ｄ技術はレンズ方式であろうと裸眼方式であろうと、基本原理がこれであり、即ち、人間に立体効果を感じさせるように、両眼で左右の異なる画面を見させる。
【０００４】
既存の裸眼３Ｄ技術はおおむね３種類に分けられ、即ち、「両眼視差バリア式」、「レンズ式」と「指向性光源式」、この３種類の具体的な実現方法がそれぞれ違うが、基本原理は全て上記である。
【０００５】
現在、市場に裸眼３Ｄ表示をサポートする携帯電話が既に現れたが、携帯電話が通信ツールとして、ビデオとピクチャーに関連する一連のアプリケーション通信プロトコルにおいて、現在相応なアップグレードが行われておらず、つまり、相応なアプリケーションには、３Ｄピクチャーに関する相応な伝送プロトコル方式が形成されていない。例えば、マルチメディアメッセージ伝送における内容は、一般的にピクチャー、音声、ビデオ及び文字であり、伝送カプセル化には一般的に多目的Ｉｎｔｅｒｎｅｔメール拡張サービス（ＭＩＭＥ：Ｍｕｌｔｉｐｕｒｐｏｓｅ Ｉｎｔｅｒｎｅｔ Ｍａｉｌ Ｅｘｔｅｎｓｉｏｎｓ）プロトコルと同期マルチメディア統合言語（ＳＭＩＬ，Ｓｙｎｃｈｒｏｎｉｚｅｄ Ｍｕｌｔｉｍｅｄｉａ Ｉｎｔｅｇｒａｔｉｏｎ Ｌａｎｇｕａｇｅ）プロトコルが採用される。ＭＩＭＥプロトコルは様々なメディアファイルが伝送情報中の組み合わせ方式をいかに組み合わせるかを規定しており、ＳＭＩＬプロトコルは様々な情報要素の配列表現方式を規定している。裸眼３Ｄが新たな技術であって、マルチメディアメッセージ分野で、従来のプロトコルが３Ｄピクチャー伝送をサポートできないため、マルチメディアメッセージで伝送された２枚の３Ｄ図像に組み合わせるためのピクチャーが、受信側で２枚の関連ないピクチャーとして放送されることになってしまう。
【０００６】
ＳＭＩＬは一般的にヘッダ（ｈｅａｄ）とボディ（ｂｏｄｙ）、２つの部分に分けられ、ヘッダ（ｈｅａｄ）部分は主に、ページのサイズ、ページ中に含まれる要素、及び各要素の表示長さ、幅、表示位置を列挙して、ボディ（ｂｏｄｙ）部分は、主に、このページの放送時間、ページ中の要素の索引及び各要素が対応するヘッダ（ｈｅａｄ）中の表示位置が含まれる。次の例のように示す。
【０００７】
<smil xmlns="http://www.w3.org/2001/SMIL20/Language>
<head>
<meta name="author" content="ZTE Corporation" /> 
<layout> 
<root-layout height="176" width=“220" />
<region id="text"  height="160"  width=“30" left="0" top=“170" fit="hidden" />
<region id="image"  height="160"  width="170" left="0" top=“0" fit="hidden" />
</layout> 
</head>
<body>
<par dur="8000ms">
<text src=“cid:text2" alt="Text2.txt" region="text" />
<img src=“image1.gif" alt="cap.gif" region="image" />
<audio src=“audio3.amr" begin="5000ms" end="10000ms“ />
</par>
</body>
</smil>
正常状況でのＳＭＩＬ対応関係は図１に示すように、ＳＭＩＬにリソースのＩＤを注記しており、このＩＤを介して相応なリソースを検出して、ＳＭＩＬ中の記述に従って表示する。
【発明の概要】
【発明が解決しようとする課題】
【０００８】
これを鑑みて、本発明の主な目的は、既存プロトコルに３Ｄピクチャー伝送のサポート不可の問題を解決するために、マルチメディアメッセージでの３Ｄピクチャーを伝送する方法及びシステムを提供することである。
【課題を解決するための手段】
【０００９】
前記目的を実現するために、本発明の技術的スキームは次のように実現される。
【００１０】
本発明がマルチメディアメッセージでの３Ｄピクチャーを伝送する方法を提供し、この方法は、
ＳＭＩＬファイルに、送信側が異なる２枚のピクチャーを１つのＩＤに対応させ、それに２枚のピクチャーの属性を３Ｄ表示ピクチャーに設定し、この２枚のピクチャーを受信側へ送信する、あるいは、ＳＭＩＬファイルに、送信側が異なる２枚のピクチャーを１つのファイルに合成してから１つのＩＤに対応させ、それにＩＤの属性を３Ｄ表示ピクチャーにマークし、ファイルを受信側へ送信することと、
受信側が３Ｄ形式のピクチャーを表示することとを含む。
【００１１】
上記方法において、前記送信側が異なる２枚のピクチャーを１つのＩＤに対応させ、それに２枚のピクチャーの属性を３Ｄ表示ピクチャーに設定することは、
送信側が異なる２枚の３Ｄ表示すべきピクチャーの表示エリアＩＤを同一ＩＤに設定し、そしてＳＭＩＬファイルのボディ（ｂｏｄｙ）に２枚のピクチャーの表示パラメータを同じに設定し、送信される１枚目のピクチャーの表示パラメータに準じ、ＳＭＩＬファイルのボディ（ｂｏｄｙ）に、２枚のピクチャーが３Ｄ表示ピクチャーであること及び２枚のピクチャーの放送順番をマークするための属性を加えることである。
【００１２】
上記方法において、前記この２枚のピクチャーを受信側へ送信することは、
送信側が前記２枚のピクチャーをＳＭＩＬファイルとパッキングしてからＭＩＭＥでカプセル化を行い、受信側へ送信することである。
【００１３】
上記方法において、前記受信側が３Ｄ形式のピクチャーを表示することは、
受信側がマルチメディアメッセージをダウンロードした後、ＳＭＩＬファイルを解析し、異なる２枚のピクチャーの表示エリアのＩＤが同一であることによって、ページ同一表示エリアが同時に２枚のピクチャーに対応することを確定すると、受信した１枚目のピクチャーの表示パラメータを２枚のピクチャーの表示方式として、マルチメディアメッセージを放送する時、表示処理プログラムを呼び出し、２枚のピクチャーを３Ｄ形式のピクチャーに組み合わせて表示を行うことである。
【００１４】
上記方法において、前記ＳＭＩＬファイルに、送信側が異なる２枚のピクチャーを１つのファイルに合成してから１つのＩＤに対応させ、それにＩＤの属性を３Ｄ表示ピクチャーにマークし、ファイルを受信側へ送信することは、
ＳＭＩＬファイルのヘッダ（ｈｅａｄ）に、送信側が表示エリアのＩＤ下のファイルが３Ｄ表示ピクチャーであるのをマークするためのＩＤ属性を加え、３Ｄ表示すべき２枚のピクチャーを１つのファイルにパッキングし、このファイルをヘッダ（ｈｅａｄ）中の前記表示エリアのＩＤに対応させ、パッキングされたファイルと上記処理されたＳＭＩＬファイルを受信側へ送信することである。
【００１５】
上記方法において、前記受信側が３Ｄ形式のピクチャーを表示することは、
受信側がマルチメディアメッセージを受信した後、ＳＭＩＬファイルを解析し、ページのヘッダ（ｈｅａｄ）ピクチャーに表示エリアのＩＤ下のファイルが３Ｄ表示ピクチャーであることをマークするためのＩＤ属性を検出することと、表示エリアのＩＤに対応するファイルを探し出し、ファイル中の２枚のピクチャーを分離して取り出し、３Ｄ形式のピクチャーとして表示することである。
【００１６】
本発明がさらにマルチメディアメッセージでの３Ｄピクチャーを伝送するシステムを提供し、送信側と受信側を含み、ここで、
送信側は、ＳＭＩＬファイルに、異なる２枚のピクチャーを１つのＩＤに対応させ、それに２枚のピクチャーの属性を３Ｄ表示ピクチャーに設定し、この２枚のピクチャーを受信側へ送信する、あるいは、ＳＭＩＬファイルに、異なる２枚のピクチャーを１つのファイルに合成してから１つのＩＤに対応させ、それにＩＤの属性を３Ｄ表示ピクチャーにマークし、ファイルを受信側へ送信することに用いられ、
受信側は、３Ｄ形式のピクチャーを表示することに用いられる。
【００１７】
本発明が提供するマルチメディアメッセージでの３Ｄピクチャーを伝送する方法及びシステムは、ＳＭＩＬファイルに、送信側が異なる２枚のピクチャーを１つのＩＤに対応させ、それに２枚のピクチャーの属性を３Ｄ表示ピクチャーに設定し、この２枚のピクチャーを受信側へ送信する、あるいは、ＳＭＩＬファイルに、送信側が異なる２枚のピクチャーを１つのファイルに合成してから１つのＩＤに対応させ、それにＩＤの属性を３Ｄ表示ピクチャーにマークし、ファイルを受信側へ送信して、受信側が３Ｄ形式のピクチャーを表示し、マルチメディアメッセージ伝送プロトコル中のＳＭＩＬファイルを、３Ｄピクチャーの伝送と表示をサポートできるように改善することによって、現在マルチメディア伝送において２枚のピクチャーを１セットの３Ｄピクチャーにマークできない問題を解決し、これによって既存プロトコルにおける３Ｄピクチャーの伝送をサポートできない問題を解決し、マルチメディアメッセージで３Ｄピクチャーを伝送する目的を実現する。
【図面の簡単な説明】
【００１８】
【図１】既存技術におけるＳＭＩＬ対応関係の例を示す図である。
【図２】本発明に係るマルチメディアメッセージでの３Ｄピクチャーの伝送を実現する方法１のフローチャートである。
【図３】本発明に係るマルチメディアメッセージでの３Ｄピクチャーの伝送を実現する方法２のフローチャートである。
【図４】本発明に係るマルチメディアメッセージでの３Ｄピクチャーの伝送を実現する方法１のＳＭＩＬの例を示す図である。
【図５】本発明に係るマルチメディアメッセージでの３Ｄピクチャーの伝送を実現する方法２の３Ｄ画像ファイルの例を示す図である。
【図６】本発明に係るマルチメディアメッセージでの３Ｄピクチャーの伝送を実現するシステムの構造模式図である。
【発明を実施するための形態】
【００１９】
本発明の基本的な考えは、ＳＭＩＬファイルに、送信側が異なる２枚のピクチャーを１つのＩＤに対応させ、それに２枚のピクチャーの属性を３Ｄ表示ピクチャーに設定し、この２枚のピクチャーを受信側へ送信する、あるいは、ＳＭＩＬファイルに、送信側が異なる２枚のピクチャーを１つのファイルに合成してから１つのＩＤに対応させ、それにＩＤの属性を３Ｄ表示ピクチャーにマークし、ファイルを受信側へ送信して、受信側が３Ｄ形式のピクチャーを表示することである。
【００２０】
これから、付図及び具体的な実施例で本発明に対して更なる詳細な説明を行う。
【００２１】
本発明がマルチメディアメッセージでの３Ｄピクチャーを伝送する方法を提供し、図２は本発明にかかるマルチメディアメッセージでの３Ｄピクチャーを伝送する方法１のフローチャートであり、図２に示すように、この方法は次のステップを含む。
【００２２】
ステップ２０１：ＳＭＩＬファイルに、送信側が異なる２枚のピクチャーを１つのＩＤに対応させ、それに２枚のピクチャーの属性を３Ｄ表示ピクチャーに設定し、この２枚のピクチャーを受信側へ送信する。
【００２３】
具体的に、ＳＭＩＬファイルに、送信側が異なる２枚の３Ｄ表示すべきピクチャーの表示エリアＩＤ（Ｉｍａｇｅ  Ｒｅｇｉｏｎ  ＩＤ）を同一ＩＤに設定し、即ち１つのページ中のＩｍａｇｅ属性が２枚のピクチャーに同時に関連付けられ、前記２枚のピクチャーをＳＭＩＬファイルと一緒にパッキングしてからＭＩＭＥでカプセル化し、受信側へ送信する。
【００２４】
ここで、２枚のピクチャーのデュレーション等の関連制御パラメータの異なりによる表示混乱を避けるために、ＳＭＩＬファイルのボディ（ｂｏｄｙ）に２枚のピクチャーのデュレーション、ピクチャー表示スケーリング状況等の表示パラメータを同じに設定する必要があり、即ち、送信される１枚目のピクチャーの表示パラメータに準ずる。さらに、ＳＭＩＬファイルのボディ（ｂｏｄｙ）に１つの新しい属性を加える必要があり、この属性は上記２枚のピクチャーが３Ｄ表示ピクチャーであること及び２枚のピクチャーの放送順番をマークすることに用いられる。選択可能に、伝送されるほかのマルチメディアメッセージ内容は、例えば、音声、ビデオと文字等を、既存技術中の方式でＳＭＩＬファイルで配列して、受信側へ送信する。
【００２５】
本発明において、送信側は携帯電話あるいはほかのマルチメディアメッセージをサポートする端末、例えばパッド（ｐａｄ）等であってよい。
【００２６】
ステップ２０２：受信側が受信した２枚のピクチャーを３Ｄ形式のピクチャーに組み合わせて表示する。
【００２７】
具体的に、受信側がマルチメディアメッセージをダウンロードした後、ＳＭＩＬファイルを解析し、異なる２枚のピクチャーの表示エリアのＩＤが同一であることによって、ページの同一表示エリアが同時に２枚のピクチャーに対応することを確定すると、受信した１枚目のピクチャーの表示パラメータを２枚のピクチャーの表示方式として、マルチメディアメッセージを放送する時、表示処理プログラムを呼び出し、２枚のピクチャーを３Ｄ形式のピクチャーに組み合わせて表示を行い、ユーザがこの２枚のピクチャーで形成された３Ｄ映像を見ることができる。
【００２８】
図３は本発明に係るマルチメディアメッセージでの３Ｄピクチャーの伝送を実現する方法２のフローチャートであり、図３に示すように、この方法は次のステップを含む。
【００２９】
ステップ３０１：ＳＭＩＬファイルに、送信側が異なる２枚のピクチャーを１つのファイルに合成してから１つのＩＤに対応させ、それにＩＤの属性を３Ｄ表示ピクチャーにマークし、ファイルを受信側へ送信する。
【００３０】
具体的に、ＳＭＩＬファイルのヘッダ（ｈｅａｄ）に、送信側が、このＩＤ属性に対応する表示エリアのＩＤ下のファイルが３Ｄ表示ピクチャーであることをマークするための１つのＩＤ属性を加え、３Ｄ表示すべき２枚のピクチャーを１つのファイルにパッキングし、このファイルをヘッダ（ｈｅａｄ）中の前記表示エリアのＩＤに対応させ、パッキングされたファイルと上記処理されたＳＭＩＬファイルを受信側へ送信することである。選択可能に、伝送されるほかのマルチメディアメッセージ内容は、例えば、音声、ビデオと文字等を、既存技術中の方式でＳＭＩＬファイルで配列して、受信側へ送信する。
【００３１】
ステップ３０２：受信側が受信したファイルを３Ｄ形式のピクチャーで表示する。
【００３２】
具体的に、受信側がマルチメディアメッセージを受信した後、ＳＭＩＬファイルを解析し、ページのヘッダ（ｈｅａｄ）ピクチャーに表示エリアのＩＤ下のファイルが３Ｄ表示ピクチャーであるのをマークするためのＩＤ属性を検出することと、表示エリアのＩＤに対応するファイルを探し出し、ファイル中の２枚のピクチャーを分離して取り出し、３Ｄ形式のピクチャーで表示し、ユーザがこの２枚のピクチャーで形成された３Ｄ映像を見ることができる。
【００３３】
実施例１
図４に示すように、本発明の方法１に係る２枚のピクチャーを伝送するＳＭＩＬの構造模式図であり、図１と比べると、図４には１つの明らかな区別があり、即ち、１つのＩｍａｇｅ  Ｒｅｇｉｏｎ  ＩＤを同時に２枚のピクチャーに対応させ、この２枚のピクチャーは３Ｄ形式のピクチャーに組み合わせられる２枚のピクチャーである。
【００３４】
３Ｄ形式のピクチャーを表示する際、２枚のピクチャーの左側ピクチャーと右側ピクチャーを区分するために、本実施例において、ボディ（ｂｏｄｙ）中の画像リソースに、この画像リソースが３Ｄ形式のピクチャー中の左側ピクチャーか右側ピクチャーかをマークするための新しい属性を加え、この属性の名称と値については、送信側と受信側のプロトコルが一致すればいい。本実施例に次のように例示される。
【００３５】
<body>
<par dur="8000ms">
<text src=“cid:text2" alt="Text2.txt" region="text" />
<img src=“image1.gif" region="image" 3D="left"/>
<img src=“image2.gif" region="image" 3D="right" />
<audio src=“audio3.amr" begin="5000ms" end="10000ms“ />
</par>
</body>
本実施例において、主にヘッダ（ｈｅａｄ）中の同一Ｉｍａｇｅ  Ｒｅｇｉｏｎ  ＩＤを２枚のピクチャーに対応させ、及び３Ｄ制御属性を加えることで３Ｄ映像を実現し、本発明の上記方法を実現することが、ヘッダ（ｈｅａｄ）中に一定の標識を設置することで完成できる。例えば、以下のとおりである。
【００３６】
<head>
<meta name="author" content="ZTE Corporation" /> 
<layout> 
<root-layout height="176" width=“220" />
<region id="text"  height="160"  width=“30" left="0" top=“170" fit="hidden" />
<region id="3D"  height="160"  width="170" left="0" top=“0" fit="hidden" />
</layout> 
</head>
３Ｄ表示ピクチャーである１つの属性を新しく加え、この属性を有するＩＤが必ず２枚のピクチャーに対応しなければならず、この２枚のピクチャーがそれぞれ３Ｄ表示際の左ピクチャーと右ピクチャーである。
【００３７】
或いは、３Ｄ属性をＩｍａｇｅ  Ｒｅｇｉｏｎ  ＩＤ属性の１つの付属属性に定義してよく、このＩｍａｇｅ  Ｒｅｇｉｏｎ  ＩＤが１つの３Ｄ形式のピクチャーを表示すべきだと標識することに用いられ、例えば、以下のとおりである。
【００３８】
<head>
<meta name="author" content="ZTE Corporation" /> 
<layout> 
<root-layout height="176" width=“220" />
<region id="text"  height="160"  width=“30" left="0" top=“170" fit="hidden" />
<region id="image"  height="160"  width="170" left="0" top=“0" fit="hidden" 3D="TURE"/>
</layout> 
</head>
上記２つの方法において、ヘッダ（ｈｅａｄ）中にＩＤ属性が３Ｄ表示ピクチャーであるのが既に標識されているため、ボディ（ｂｏｄｙ）にＩＤ属性が３Ｄ表示ピクチャーであるのを標識するかどうかが必須ではなく、２枚のピクチャーの左ピクチャーと右ピクチャー標識は図４中のレフト（ｌｅｆｔ）とライト（ｒｉｇｈｔ ）のような類似標識方法を利用すればいいし、標識がないとデフォルトにしてもよく、ボディ（ｂｏｄｙ）中に記載されている１枚目ピクチャーを左ピクチャーにして、２枚目ピクチャーを右ピクチャーにする。
【００３９】
実施例２
本発明に係る前記方法２の要点は、直接２枚のピクチャーを１つのファイルに合併して送信し、それにヘッダ（ｈｅａｄ）にこのファイルが３Ｄ表示ファイルであるのを標識し、受信側にこのファイルに対して３Ｄ表示処理するように提示することに用いられる。
【００４０】
ヘッダ（ｈｅａｄ）中にファイルを３Ｄ表示ピクチャーに標識する方法は実施例１に参考して、ここで重複しない。
【００４１】
２枚のピクチャーを１つのファイルに整合する方法はたくさんあるので、ここでいちいち例をあげる必要がなく、付図に合わせながらその１つを挙げる。
【００４２】
図５に示すように、ピクチャー１とピクチャー２に統一にファイルヘッドが加えられ、３Ｄ映像ファイルにパッキングされ、このファイルヘッド中に下記の内容が含まれる。
【００４３】
１、ピクチャー１とピクチャー２の先頭アドレス、ピクチャー１とピクチャー２のピクチャーデータを検出して、その中の２枚のピクチャーを取り出すことに用いられる。
【００４４】
２、ピクチャー１とピクチャー２の左右配列方式、例えば、ピクチャー１が左ピクチャーであり、図２が右ピクチャー（或いはプロトコルデフォルトの方式を採用する）である。
【００４５】
上記方法を実現するために、本発明がさらにマルチメディアメッセージでの３Ｄピクチャーを伝送するシステムを提供し、図６は本発明に係るマルチメディアメッセージでの３Ｄピクチャーの伝送を実現するシステムの構造模式図であり、図６に示すように、このシステムは送信側６１と受信側６２を含む。
【００４６】
送信側６１は、ＳＭＩＬファイルに、異なる２枚のピクチャーを１つのＩＤに対応させ、それに２枚のピクチャーの属性を３Ｄ表示ピクチャーに設定し、この２枚のピクチャーを受信側へ送信する、あるいは、ＳＭＩＬファイルに、異なる２枚のピクチャーを１つのファイルに合成してから１つのＩＤに対応させ、それにＩＤの属性を３Ｄ表示ピクチャーにマークし、ファイルを受信側６２へ送信することに用いられ、
受信側６２は、３Ｄ形式のピクチャーを表示することに用いられる。
【００４７】
前記送信側６１が異なる２枚のピクチャーを１つのＩＤに対応させ、そして２枚のピクチャーの属性を３Ｄ表示ピクチャーに設定することは、送信側が異なる２枚の３Ｄ表示すべきピクチャーの表示エリアＩＤを同一ＩＤに設定して、ＳＭＩＬファイルのボディ（ｂｏｄｙ）に、２枚のピクチャー表示パラメータを同じに設定して、送信される１枚目のピクチャーの表示パラメータに準じて、ＳＭＩＬファイルのボディ（ｂｏｄｙ）に、２枚のピクチャーが３Ｄ表示ピクチャーであること及び２枚のピクチャーの放送順番をマークするための属性を加える。
【００４８】
前記送信側６１がこの２枚のピクチャーを受信側６２へ送信することは、送信側が前記２枚のピクチャーをＳＭＩＬファイルとパッキングしてからＭＩＭＥでカプセル化を行い、受信側へ送信する。
【００４９】
前記受信側６２が３Ｄ形式のピクチャーを表示することは、受信側がマルチメディアメッセージをダウンロードした後、ＳＭＩＬファイルを解析し、異なる２枚のピクチャーの表示エリアのＩＤが同一であることによって、ページの同一表示エリアが同時に２枚のピクチャーに対応することを確定すると、受信した１枚目のピクチャーの表示パラメータを２枚のピクチャーの表示方式として、マルチメディアメッセージを放送する時、表示処理プログラムを呼び出し、２枚のピクチャーを３Ｄ形式のピクチャーに組み合わせて表示を行う。
【００５０】
或いは、前記ＳＭＩＬファイルに、送信側６１が異なる２枚のピクチャーを１つのファイルに合成してから１つのＩＤに対応させ、それにＩＤの属性を３Ｄ表示ピクチャーにマークし、ファイルを受信側６２へ送信することは、ＳＭＩＬファイルのヘッダ（ｈｅａｄ）に、送信側が表示エリアのＩＤ下のファイルが３Ｄ表示ピクチャーであることをマークするためのＩＤ属性を加え、３Ｄ表示すべき２枚のピクチャーを１つのファイルにパッキングし、このファイルをヘッダ（ｈｅａｄ）中の前記表示エリアのＩＤに対応させ、パッキングされたファイルと上記処理されたＳＭＩＬファイルを受信側へ送信することである。
【００５１】
前記受信側６２が３Ｄ形式のピクチャーを表示することは、受信側がマルチメディアメッセージを受信した後、ＳＭＩＬファイルを解析し、ページのヘッダ（ｈｅａｄ）ピクチャーに表示エリアのＩＤの下のファイルが３Ｄ表示ピクチャーであることをマークするためのＩＤ属性を検出すると、表示エリアのＩＤに対応するファイルを探し出し、ファイル中の２枚のピクチャーを分離して取り出し、３Ｄ形式のピクチャーで表示することである。
【００５２】
以上は、本発明のより良い実施例に過ぎなく、本発明の請求範囲を制限せず、本発明の主旨精神と原則以内に、いかなる改修、同等入れ替わり、改良等が、本発明の保護範囲以内に含まれるべきである。
【図１】
2014527373.tif 000003
【図２】
2014527373.tif 000004
【図３】
2014527373.tif 000005
【図４】
2014527373.tif 000006
【図５】
2014527373.tif 000007
【図６】
2014527373.tif 000008
【国際調査報告】
2014527373.tif 000009
2014527373.tif 000010
2014527373.tif 000011
2014527373.tif 000012